【手続補正書】
【提出日】平成22年5月28日(2010.5.28)
【手続補正１】
【補正対象書類名】特許請求の範囲
【補正対象項目名】全文
【補正方法】変更
【補正の内容】
【特許請求の範囲】
【請求項１】
高蛋白質コムギ植物を作出する方法であって、
（ａ）少なくとも１つのコムギＡＨＡＳＬ１Ａ  Ｓ６５３Ｎ遺伝子のコピーをコムギ植物に導入する工程、
（ｂ）穀粒を産生するため、前記ＡＨＡＳＬ１Ａ  Ｓ６５３Ｎ遺伝子を含む前記コムギ植物又はその子孫植物を生育する工程、
（ｃ）前記コムギ植物又はその子孫植物によって産生される穀粒の蛋白質含量を定量する工程、
を含み、前記コムギ植物又はその子孫植物が、前記コムギＡＨＡＳＬ１Ａ  Ｓ６５３Ｎ遺伝子を欠いたコムギ植物によって産生される穀粒と比べ、増大した蛋白質レベルを有する穀粒を産生する方法。
【請求項２】
前記コムギＡＨＡＳＬ１Ａ  Ｓ６５３Ｎ遺伝子が、アミノ酸位置５７９又は等価な位置においてアスパラギンを含むＡＨＡＳＬ１Ａ蛋白質をコードする請求項１に記載の方法。
【請求項３】
前記コムギＡＨＡＳＬ１Ａ  Ｓ６５３Ｎ遺伝子が、コムギ（Ｔｒｉｔｉｃｕｍ  ａｅｓｔｉｖｕｍ）又はヒトツブコムギ（Ｔｒｉｔｉｃｕｍ  ｍｏｎｏｃｏｃｃｕｍ）ＡＨＡＳＬ１Ａ  Ｓ６５３Ｎ遺伝子である請求項１に記載の方法。
【請求項４】
前記コムギＡＨＡＳＬ１Ａ  Ｓ６５３Ｎ遺伝子を含むコムギ植物を選抜する工程を更に含む請求項１に記載の方法。
【請求項５】
前記選抜工程が、前記コムギＡＨＡＳＬ１Ａ  Ｓ６５３Ｎ遺伝子が導入された後、前記コムギ植物にＡＨＡＳ阻害除草剤を適用する工程を含む請求項４に記載の方法。
【請求項６】
前記コムギＡＨＡＳＬ１Ａ  Ｓ６５３Ｎ遺伝子が、他家受粉によって前記高蛋白質コムギ植物に導入される請求項１に記載の方法。
【請求項７】
前記他家受粉が、少なくとも１つのＦ１子孫を作出するため、第一の親コムギ植物を第二の親コムギ植物と交配させる工程を含み、前記第一の親コムギ植物が、少なくとも１つの前記ＡＨＡＳＬ１Ａ  Ｓ６５３Ｎ遺伝子のコピーを含み、前記高蛋白質コムギ植物が、前記第一の親コムギ植物及び前記第二の親コムギ植物の子孫である請求項６に記載の方法。
【請求項８】
前記第一の親コムギ植物が、
（ａ）アメリカン・タイプ・カルチャー・コレクション（ＡＴＣＣ）特許寄託受託番号（Ｐａｔｅｎｔ  Ｄｅｐｏｓｉｔ  Ｄｅｓｉｇｎａｔｉｏｎ  Ｎｕｍｂｅｒ）ＰＴＡ−３９５５，ＰＴＡ−４１１３又はＰＴＡ−４２５７を有するコムギ植物；
（ｂ）ＡＴＣＣ特許寄託受託番号（Ｐａｔｅｎｔ  Ｄｅｐｏｓｉｔ  Ｄｅｓｉｇｎａｔｉｏｎ  Ｎｕｍｂｅｒ）ＰＴＡ−３９５５，ＰＴＡ−４１１３又はＰＴＡ−４２５７を有する前記コムギ植物の突然変異、組換え型又は遺伝子操作誘導体；
（ｃ）ＡＴＣＣ特許寄託受託番号（Ｐａｔｅｎｔ  Ｄｅｐｏｓｉｔ  Ｄｅｓｉｇｎａｔｉｏｎ  Ｎｕｍｂｅｒ）ＰＴＡ−３９５５，ＰＴＡ−４１１３又はＰＴＡ−４２５７を有する前記植物の任意の子孫；並びに
（ｄ）任意の１つ又はそれ以上のこれらの植物の子孫であるコムギ植物
からなる群より選択される請求項７に記載の方法。
【請求項９】
前記第一の親コムギ植物が、ＡＴＣＣ特許寄託受託番号（Ｐａｔｅｎｔ  Ｄｅｐｏｓｉｔ  Ｄｅｓｉｇｎａｔｉｏｎ  Ｎｕｍｂｅｒ）ＰＴＡ−３９５５，ＰＴＡ−４１１３又はＰＴＡ−４２５７を有する前記コムギ植物の除草剤抵抗性特性を含む請求項７に記載の方法。
【請求項１０】
前記第一の親コムギ植物が前記交配に対する花粉ドナーであり、前記第二の親コムギ植物が花粉アクセプターであり、前記Ｆ１子孫が前記第二の親コムギ植物において作出される請求項７に記載の方法。
【請求項１１】
前記第二の親コムギ植物が前記交配に対する花粉ドナーであり、前記第一の親コムギ植物が花粉アクセプターであり、前記Ｆ１子孫が前記第一の親コムギ植物において作出される請求項７に記載の方法。
【請求項１２】
ＡＨＡＳ阻害除草剤に対する抵抗性が増大したコムギ植物を選抜するために、前記高蛋白質コムギ植物を、有効量のＡＨＡＳ阻害除草剤を前記Ｆ１子孫に適用することによって選抜する請求項７に記載の方法。
【請求項１３】
前記第一の親コムギ植物が、前記ＡＨＡＳＬ１Ａ  Ｓ６５３Ｎ遺伝子に対してヘテロ接合性又はホモ接合性である請求項７に記載の方法。
【請求項１４】
前記交配によって作出された前記Ｆ１子孫を、Ｆ２子孫を作出するため、生育し、自家受粉できるようにする請求項７に記載の方法。
【請求項１５】
前記高蛋白質コムギ植物を、ＡＨＡＳ阻害除草剤に対する抵抗性が増大した、少なくとも１つのコムギ植物を選抜するために、有効量のＡＨＡＳ阻害除草剤を前記Ｆ２子孫に適用することによって前記Ｆ２子孫から選抜する請求項１４に記載の方法。
【請求項１６】
前記コムギＡＨＡＳＬ１Ａ  Ｓ６５３Ｎ遺伝子を、突然変異生成によって前記高蛋白質コムギ植物に導入し、有効量のＡＨＡＳ阻害除草剤に対する抵抗性を有するコムギ植物を選抜する請求項１に記載の方法。
【請求項１７】
更に、前記ＡＨＡＳＬ１Ａ  Ｓ６５３Ｎ遺伝子を含むコムギ植物を選抜する工程を含む請求項１６に記載の方法。
【請求項１８】
前記コムギＡＨＡＳＬ１Ａ  Ｓ６５３Ｎ遺伝子を、形質転換によって、前記高蛋白質コムギ植物に導入し、前記形質転換が、
形質転換コムギ細胞を作出するために、植物細胞における発現を促進するプロモーターに作動可能に結合したコムギＡＨＡＳＬ１Ａ  Ｓ６５３Ｎポリヌクレオチドを含むポリヌクレオチドコンストラクトを、コムギ植物の少なくとも１つの細胞に導入する工程、
前記形質転換コムギ細胞を形質転換コムギ植物に再生する工程、
を含み、前記形質転換コムギ植物が前記高蛋白質コムギ植物である請求項１に記載の方法。
【請求項１９】
ＡＨＡＳ阻害除草剤に対する抵抗性の増大を含む形質転換コムギ細胞を選抜するため、有効量のＡＨＡＳ阻害除草剤を前記形質転換コムギ細胞に適用する工程を更に含む請求項１８に記載の方法。
【請求項２０】
前記プロモーターが、構成的プロモーター及び種子優先の（ｓｅｅｄ−ｐｒｅｆｅｒｒｅｄ）プロモーターからなる群より選択される請求項１８に記載の方法。
【請求項２１】
前記高蛋白質コムギ植物が、イミダゾリノン系除草剤、スルホニルウレア系除草剤、トリアゾロピリミジン系除草剤、ピリミジニルオキシベンゾアート系除草剤及びスルホニルアミノ・カルボニルトリアゾリノン系除草剤からなる群より選択される、少なくとも１種のＡＨＡＳ阻害除草剤に対する抵抗性の亢進を有する請求項１に記載の方法。
【請求項２２】
前記イミダゾリノン系除草剤が、［２−（４−イソプロピル−４−メチル−５−オキソ−２−）イミダゾリン−２−イル］−ニコチン酸、２−（４−イソプロピル）−４−メチル−５−オキソ−２−イミダゾリン−２−イル］−３−キノリンカルボン酸、［５−エチル−２−（４−イソプロピル−４−メチル−）−５−オキソ−２−イミダゾリン−２−イル］−ニコチン酸、２−（４−イソプロピル−４−メチル−５−オキソ−２−イミダゾリン−２−イル）−５−（メトキシメチル）−ニコチン酸、２−（４−イソプロピル−４−メチル−５−オキソ−２−イミダゾリン−２−イル）−５−メチルニコチン酸、及びメチル６−（４−イソプロピル−４−メチル−５−オキソ−２−イミダゾリン−２−イル）−ｍ−トルイル酸とメチル［２−（４−）イソプロピル−４−メチル−５−オキソ−２−イミダゾリン−２−イル］−ｐ−トルイル酸との混合物、並びにそれらの混合物からなる群選択される請求項２１に記載の方法。
【請求項２３】
前記高蛋白質コムギ植物の種が、コムギ（Ｔｒｉｔｉｃｕｍ  ａｅｓｔｉｖｕｍ）である請求項１に記載の方法。